(57)【要約】【課題】センター装置に映像を送出する際、遠隔監視装置側で設定した通報用圧縮率で映像を送出できるようしたエレベータの遠隔監視システムを得る。【解決手段】エレベータのかご内映像を撮像するカメラ６と、かご内映像を圧縮する処理装置８と、かご５を制御すると共に、エレベータの異常情報を遠隔監視装置７に送出するエレベータ制御盤１と、センター装置１０と公衆網９を介して接続され、エレベータ制御盤１からの異常情報の受信に基づいて圧縮されたかご内映像をセンター装置１０に通報する遠隔監視装置７とからなるエレベータの遠隔監視システムにおいて、遠隔監視装置７に、通報用圧縮率を設定する通報用圧縮率設定部１３と、エレベータの異常情報の受信に基づいて通報用圧縮率設定部１３により設定された通報用圧縮率を処理装置８に指示して、圧縮されたかご内映像を収集してセンター装置１０に通報する制御回路１５とを備えた。【選択図】        図２
2004345777.tif 000002
【特許請求の範囲】
【請求項１】
エレベータのかご内映像を撮像する撮像手段と、
前記撮像手段により撮像された映像を圧縮する処理装置と、
エレベータのかごを制御すると共に、エレベータの異常情報を遠隔監視装置に送出するエレベータ制御盤と、
センター装置と公衆網を介して接続され、前記エレベータ制御盤からの異常情報の受信に基づいて前記処理装置により圧縮されたかご内映像を前記センター装置に通報する遠隔監視装置と
からなるエレベータの遠隔監視システムにおいて、
前記遠隔監視装置に、通報用圧縮率を設定する通報用圧縮率設定部と、前記エレベータ制御盤からのエレベータの異常情報の受信に基づいて前記通報用圧縮率設定部により設定された通報用圧縮率を前記処理装置に指示すると共に、設定された通報用圧縮率に基づいて前記処理装置により圧縮されたかご内映像を収集して前記センター装置に通報する制御部とを備えた
ことを特徴とするエレベータの遠隔監視システム。
【請求項２】
請求項１に記載のエレベータの遠隔監視システムにおいて、
前記制御部は、前記センター装置から指示される圧縮率を前記処理装置に設定し、当該設定された圧縮率に基づいて前記処理装置により圧縮されたかご内映像を収集して前記センター装置に通報する
ことを特徴とするエレベータの遠隔監視システム。
【請求項３】
請求項１または２に記載のエレベータの遠隔監視システムにおいて、
前記通報用圧縮率設定部として、通報用圧縮率が異なる複数の通報用圧縮率設定部を備え、
前記制御回路は、前記エレベータ制御盤からの異常情報に応じて通報用圧縮率設定部を選択し、選択した通報用圧縮率設定部の通報用圧縮率を前記処理装置に指示する
ことを特徴とするエレベータの遠隔監視システム。
【発明の詳細な説明】
【０００１】
【発明の属する技術分野】
この発明は、エレベータかご内等の映像を監視するエレベータの遠隔監視システムに関するものである。
【０００２】
【従来の技術】
エレベータかご内の安全等を守るために、かご内にカメラを設置し、電話回線でセンター装置と接続して、通報時も監視センターからの映像収集時も予め決められた圧縮率で映像情報を送出するエレベータの遠隔監視システムがある。また、センター装置から圧縮率を変更できるようにしたエレベータの遠隔監視システムがある（例えば特許文献１参照）。
【０００３】
【特許文献１】
特開２００１−１０６４４９号公報
【０００４】
【発明が解決しようとする課題】
しかしながら、従来のエレベータの遠隔監視システムでは、特開２００１−１０６４４９号公報のようにセンター装置から圧縮率を変更できるようにしていても、通報時に、遠隔監視装置から映像を送出する場合、過去にセンター装置から設定した圧縮率になるため、画像収集後に圧縮率を元に戻すようしないといけないことや、エレベータの異常状態に関わらず通報時の映像の圧縮率は同じであるなどの問題があった。
【０００５】
この発明は上記の様な問題点を解決するためになされたもので、センター装置に映像を送出する際、遠隔監視装置側で設定した通報用圧縮率で映像を送出できるようしたエレベータの遠隔監視システムを得ることを目的とする。
【０００６】
【課題を解決するための手段】
この発明に係るエレベータの遠隔監視システムは、エレベータのかご内映像を撮像する撮像手段と、前記撮像手段により撮像された映像を圧縮する処理装置と、エレベータのかごを制御すると共に、エレベータの異常情報を遠隔監視装置に送出するエレベータ制御盤と、センター装置と公衆網を介して接続され、前記エレベータ制御盤からの異常情報の受信に基づいて前記処理装置により圧縮されたかご内映像を前記センター装置に通報する遠隔監視装置とからなるエレベータの遠隔監視システムにおいて、前記遠隔監視装置に、通報用圧縮率を設定する通報用圧縮率設定部と、前記エレベータ制御盤からのエレベータの異常情報の受信に基づいて前記通報用圧縮率設定部により設定された通報用圧縮率を前記処理装置に指示すると共に、設定された通報用圧縮率に基づいて前記処理装置により圧縮されたかご内映像を収集して前記センター装置に通報する制御部とを備えたことを特徴とする。
【０００７】
【発明の実施の形態】
実施の形態１．
以下、この発明の実施の形態を図について説明する。図１は、この発明のエレベータの遠隔監視システムの全体構成を示す図である。図１に示すように、エレベータ制御盤１は、インバータ２を介して巻上機３を駆動制御するようになされている。そして、巻上機３に巻き掛けられたロープには、釣り合い重り４とかご５が取り付けられ、巻上機３がエレベータ制御盤１によって制御されることで、かご５が昇降路内を上下に移動するようになされている。
【０００８】
かご５内には、かご５内を撮像する撮像手段としてのカメラ６が設けられ、カメラ６からの映像情報は、処理装置８により圧縮されて遠隔監視装置７に送出される。この遠隔監視装置７は、エレベータ制御盤１及び処理装置８と通信し、ビルの情報や映像情報を公衆網９を介してセンター装置１０へ送出するようになされている。
【０００９】
図２は、実施の形態１に係る遠隔監視装置７の内部構成を示す図である。図２に示すように、遠隔監視装置７は、エレベータ制御盤１と接続されたエレベータ制御盤インタフェース回路１１と、処理装置８と接続された処理装置インタフェース回路１２と、通報用圧縮率を設定格納する圧縮率設定部１３と、公衆網９と接続された公衆網インタフェース回路１４と、制御回路１５とを備えている。
【００１０】
次に動作について、遠隔監視装置７の動作例である図３に示すフローチャートを参照して説明する。エレベータ制御盤１により、かご５内の人が行先階押下した後、かご５のドアが開かないことなどの検出で人の閉じ込めを検出すると、その閉じ込め情報は遠隔監視装置７へ送出される。遠隔監視装置７の制御回路１５は、閉じ込め情報を制御盤１からエレベータ制御盤インタフェース回路１１を介して受信すると（手順Ｓ１）、公衆網インタフェース回路１４を介して公衆網９に対してセンター装置１０の電話通報動作を行い、センター装置１０と通信ができる状態にする（手順Ｓ２）。
【００１１】
制御回路１５は、通報用圧縮率設定部１３により設定された通報用圧縮率を処理装置インタフェース回路１２を介して処理装置８に指示する。そして、処理装置８から現在のかご内の該圧縮率で圧縮した映像を収集し、収集した映像をビル番号などの自己を示す情報と共にセンター装置１０へ送出する（手順Ｓ３）。その後、センター装置１０との回線を切断する（手順Ｓ４）。従って、これらの動作により、センター装置１０内で現在のかご内映像をモニタすることができる。
【００１２】
さらに、センター装置１０は、通報してきた映像が判別しにくい時は、遠隔監視装置７に電話をかけ、遠隔監視装置７を介して処理装置８に圧縮率を設定した後、該圧縮率の映像を処理装置８から収集することができる。
【００１３】
従って、実施の形態１によれば、遠隔監視装置７に通報用圧縮率を設定できるようにし、遠隔監視装置７がエレベータの異常情報を受信し、かご内映像をセンター装置１０ヘ通報する時、設定された通報用圧縮率を処理装置８に指示した後、映像を該処理装置８から収集してセンター装置１０ヘ送出することができ、通報時は、遠隔監視装置７に設定された通報用圧縮率で映像を送出できる。また、センター装置１０から圧縮率を該遠隔監視装置７を介して処理装置８に指示した後、センター装置１０から映像を収集するようにしたので、通報で送られてきた映像が判別しにくい時は、センター装置１０から圧縮率を設定し映像を収集できるようになる。このため、遠隔監視装置７の圧縮率を高くしておくことで、通報時の通信時間が短くセンター装置１０ヘ映像情報が送ることができ、一次対応が迅速にできる。また、センター装置１０から圧縮率を変更しても元へ戻す必要がなくなる。
【００１４】
実施の形態２．
また、図４は、この発明の実施の形態２に係る遠隔監視装置７の内部構成を示す図である。図４に示す実施の形態２に係る遠隔監視装置７には、通報用圧縮率を格納する圧縮率設定部として、複数の通報用圧縮率設定部１６ａ、１６ｂ、・・・、１６ｎが備えられている。これら複数の通報用圧縮率設定部１６ａ、１６ｂ、・・・、１６ｎの通報用圧縮率は、通報用圧縮率設定部１６ａが最も高く、通報用圧縮率設定部１６ｂ、・・・、１６ｎの順で順次低下するようになされており、エレベータ制御盤１からの通報情報に従い、処理装置８に指示する通報用圧縮率を変えるようになっていて、エレベータの通報情報が例えば閉じ込めなど緊急対応の場合の映像は高圧縮率で送出し、緊急対応でない種類の通報の場合の映像は低圧縮率で送出できるようになっている。
【００１５】
次に動作について、遠隔監視装置７の動作例である図５に示すフローチャートを参照して説明する。今、圧縮率設定部１６ａに高圧縮率、圧縮率設定部１６ｂに低圧縮率を設定しておいた場合、エレベータ制御盤１により、かご内の人が行先階押下した後、かご５のドアが開かないことなどの検出で人の閉じ込めを検出すると、遠隔監視装置７へ該情報を送出する。遠隔監視装置７の制御回路１５は、閉じ込め情報を制御盤１からエレベータ制御盤インタフェース回路１１を介して受信すると（手順Ｓ１）、公衆網インタフェース１４を介して公衆網９に対してセンター装置１０の電話通報動作を行い、センター装置１０と通信できる状態にする（手順Ｓ２）。
【００１６】
制御回路１５は、通報用圧縮率設定部１６ａの圧縮率を指示し、その後、処理装置８から現在のかご内の該圧縮率で圧縮された映像を収集し、収集した映像をビル番号などの自己を示す情報と共にセンター装置１０へ送出する（手順Ｓ３）。その後、センター装置１０との回線を切断する（手順Ｓ４）。これらの動作により、センター装置１０内で現在のかご内映像をモニタすることができる。
【００１７】
さらに、エレベータ制御盤１がかご内に人が乗っていないときの異常を検出すると、遠隔監視装置７へ該情報を送出し、遠隔監視装置７の制御回路１５は、該情報を制御盤１からエレベータ制御盤インタフェース回路１１を介して受信すると（手順Ｓ５）、公衆網インーフェース回路１４を介し公衆網９に対してセンター装置１０の電話通報動作を行い、センター装置１０と通信ができる状態にする（手順Ｓ６）。そして、制御回路１５は、通報用圧縮率設定部１６ｂの圧縮率を処理装置インタフェース１２を介して処理装置８に圧縮率を指示し、その後、処理装置からの現在のかご内の該圧縮率で圧縮された映像を収集し、収集した映像をビル番号などの自己を示す情報とともにセンター装置１０へ送出する（手順Ｓ７）。その後、センター装置１０との回線を切断する（手順Ｓ４）。これらの動作により、センター装置１０内で現在のかご内映像をモニタすることができる。
【００１８】
従って、実施の形態２によれば、遠隔監視装置７に複数の通報用圧縮率を設定できるようにし、エレベータの異常情報に応じて処理装置８に指示する圧縮率を変えるようにしたので、エレベータの異常情報、例えば閉じ込めなど緊急対応の場合の映像は通報用圧縮率設定部１６ａの高圧縮率で送出し、緊急対応でない種類の通報の場合の映像は通報用圧縮率設定部１６ｂの低圧縮率で送出できるようになる。
【００１９】
【発明の効果】
以上の様に、この発明によれば、エレベータの遠隔監視システムは、遠隔監視装置に通報用圧縮率を設定できるようにし、遠隔監視装置がエレベータの異常情報を受信し、かご内映像をセンターヘ通報する時、設定された通報用圧縮率を処理装置に指示した後、映像を処理装置から収集してセンターヘ送出するようにしたので、通報時は、遠隔監視装置に設定された圧縮率で映像を送出できるようになり、遠隔監視装置の圧縮率を高くしておくことで通報時の通信時間が短く監視センターヘ映像情報を送ることができ、一次対応が迅速にできる。
【図面の簡単な説明】
【図１】この発明のエレベータの遠隔監視システムの全体構成を示す図である。
【図２】この発明の実施の形態１に係る遠隔監視装置７の内部構成を示す図である。
【図３】この発明の実施の形態１に係る遠隔監視装置７の動作を説明するフローチャートである。
【図４】この発明の実施の形態２に係る遠隔監視装置７の内部構成を示す図である。
【図５】この発明の実施の形態２に係る遠隔監視装置７の動作を説明するフローチャートである。
【符号の説明】
１  エレベータ制御盤、２  インバータ、３  巻上機、４  釣り合い重り、５かご、６  カメラ、７  遠隔監視装置、８  処理装置、９  公衆網、１０  センター装置、１１  エレベータ制御盤インタフェース回路、１２  処理装置インタフェース回路、１３，１６ａ，１６ｂ，・・・，１６ｎ  圧縮率を格納する圧縮率設定部、１４  公衆網インタフェース回路、１５  制御回路。
【図１】
2004345777.tif 000003
【図２】
2004345777.tif 000004
【図３】
2004345777.tif 000005
【図４】
2004345777.tif 000006
【図５】
2004345777.tif 000007